Podtech/llm-jp-corpus-v4-ja_patent huggingface dataset:
(57)【要約】【課題】  少ないファンで構成し、一旦ケース本体内に空気を留め、内圧を高めることにより、噴出口より均一な風量（温風）を吹き出すことができる定流量熱風乾燥機を実現する。【解決手段】  ドットプリンター印刷用の乾燥機であって、前面に所要間隔にて噴出口を設けたケース本体の後部に、所要間隔にファンを設けると共に、ファンの前方にフィンを形設してなるヒーターを設けてなることを特徴とする。【選択図】  図１
2006281758.tif 000002
【特許請求の範囲】
【請求項１】
ドットプリンター印刷用の乾燥機であって、前面に所要間隔にて噴出口を設けたケース本体の後部に、所要間隔にファンを設けると共に、ファンの前方にフィンを形設してなるヒーターを設けてなることを特徴とする定流量熱風乾燥機。
【請求項２】
ドットプリンター印刷用の乾燥機であって、前面に所要間隔にて噴出口を設けたケース本体の後部に、所要間隔にファンを設けると共に、ファンの前方にヒーターを設け、ファンとヒーターの間に長手方向に横Ｖ字形に折曲した整流板を設けてなることを特徴とする定流量熱風乾燥機。
【請求項３】
噴出口を、ケース本体の前面中央水平方向に連設してなることを特徴とする請求項１又は２記載の定流量熱風乾燥機。
【請求項４】
ヒーターのフィンをスパイラル状に設けてなることを特徴とする請求項１又は３記載の定流量熱風乾燥機。
【請求項５】
噴出口に、メッシュ状の温風整流口を設けてなることを特徴とする請求項１、２、３又は４記載の定流量熱風乾燥機。
【発明の詳細な説明】
【技術分野】
【０００１】  本発明は、主にドットプリンター印刷における定流量熱風乾燥機に関するものである。
【背景技術】
【０００２】  背景技術として、乾燥手段は、多孔板、略円筒状のノズルを二次元的に配列してなるノズル板、受像媒体の搬送方向に直交して延在するスリットを前記搬送方向に配列してなる二次元スリット板、および、受像媒体の搬送方向に直交して延在するノズルを前記搬送方向に配列してなる二次元ノズル板の少なくとも１つから風を噴射するインクジェットプリンタが開示されている。（特許文献１参照）
【特許文献１】  特開２００２−２９２８４１号（請求項３）
【発明の開示】
【発明が解決しようとする課題】
【０００３】  上記における噴射板は、ノズル板・二次元スリット板・二次元ノズル板等の形態であり、全面に設けてなるものであるため、ファンを全面に対応しなければ、均一な風量（温風）を吹き出すことができず、必然的に乾燥ムラができてしまう。
ファンを多く設けた場合、コスト的に高くなると共に、ランニングコスト（電気代等）も高くなり、実用上非合理である。【０００４】  本発明は、上記のような従来の構成が有している問題点を解決しようとするものであり、少ないファンで構成し、一時的にケース本体内に空気を留め、内圧を高めることにより、噴出口より均一な風量（温風）を吹き出すことができる定流量熱風乾燥機を実現することを目的とするものである。
【課題を解決するための手段】
【０００５】  そして、本発明は上記目的を達成するため、ドットプリンター印刷用の乾燥機であって、前面に所要間隔にて噴出口を設けたケース本体の後部に、所要間隔にファンを設けると共に、ファンの前方にフィンを形設してなるヒーターを設けてなること。また、ファンの前方にヒーターを設け、ファンとヒーターの間に長手方向に横Ｖ字形に折曲した整流板を設けてなること。さらに、噴出口を、ケース本体の前面中央水平方向に連設してなること。さらにまた、ヒーターのフィンをスパイラル状に設けてなること。噴出口に、メッシュ状の温風整流口を設けてなることを特徴とする。
【発明の効果】
【０００６】  上記のような構成により、少ないファンで、一時的にケース本体内に空気を留め、内圧を高めることにより、噴出口より均一な風量（温風）を吹き出すことができる。
また、整流板を設けることにより、シンプルな構造ながら、噴出口より均一な風量（温風）を吹き出すことができ、乾燥ムラがない。
さらにまた、ファンの数を少なくすることにより、上記の効果を得ることができ、コスト的にもランニングコストも安くできると共に、騒音も減少できる。
さらにまた、ヒーターのフィンをスパイラル状に設けることにより、放熱効果を高めると共に、全体に温風を拡散することができる。
【発明を実施するための最良の形態】
【実施例】
【０００７】  １は、主にドットプリンター印刷用の定流量熱風乾燥機である。
２は、ケース本体で、所要間隔にて形成した横長状の噴出口２ａを前面中央水平方向に連設してある。
３は、上記ケース本体２の後部に、所要間隔にて設けてなるファン（この実施例の場合、５箇所）で、中央水平方向に連設してある。
４は、上記ファン３の前方同位置に設けてなるステンレス製によるフィン４ａをスパイラル状に形成してなるヒーターである。
なお、ステンレス製にすることにより、保温効果を得ることができる。【０００８】  上記定流量熱風乾燥機１の動作（温風の流れ）について説明する。
まず、ファン３−−−にて吸引された空気Ｋはヒーター４のフィン４ａに触れ温風Ｏになる。
この温風Ｏは、ケース本体２内に滞留（対流）Ｔし、噴出口２ａ−−−より流出する温風Ｏ１が制限される。
つまり、内圧が上昇し、温められた空気（温風Ｏ）は対流Ｔし、ケース本体２内の空気（温風Ｏ）は均一となっている。【０００９】  つぎに、他の実施例を説明する。
定流量熱風乾燥機２１は、ケース本体２２の前部ニヒーター２４を設けると共に、後部に所要間隔にてファン２３を設け、ファン２３とヒーター２４の間に、長手方向にステンレス製等による横Ｖ字形に折曲した整流板５を設けてなる。
なお、長手方向に細長い一口の噴出口２２ａを設け、メッシュ状の温風整流口２２ａを設けてある。【００１０】  この定流量温風乾燥機２１は、ファン２３を作動させることにより、風０２は整流板５に当り、上下に２分割され、噴出口２２ａから均一な風量（温風０３）として吹き出すことができる。【００１１】  なお、上記実施例において、ファン及びヒーターの能力（性能）は乾燥する時間に合せて設定すればよい。
また、フィンの材質はステンレス製に限定することなく、目的に応じて選定すればよい。
さらに、必要に応じて自立するためのスタンドＳを設けてもよく、ネジＮにて角度調整を行うのも一考である。
【図面の簡単な説明】
【００１２】
【図１】  本発明の第１実施形態を示す定流量熱風乾燥機の正面図。
【図２】  本発明の第１実施形態を示す定流量熱風乾燥機の一部縦断平面図。
【図３】  本発明の第１実施形態を示す定流量熱風乾燥機の使用状態平面図。
【図４】  本発明の第２実施形態を示す定流量熱風乾燥機の一部縦断平面図。
【図５】  本発明の第２実施形態を示す定流量熱風乾燥機の使用状態側面図。
【符号の説明】
【００１３】  １−−−定流量熱風乾燥機
２−−−ケース本体
３−−−ファン
４−−−ヒーター
５−−−整流板
【図１】
2006281758.tif 000003
【図２】
2006281758.tif 000004
【図３】
2006281758.tif 000005
【図４】
2006281758.tif 000006
【図５】
2006281758.tif 000007
(57)【要約】【課題】従来の電動ドリルでの穴開け作業は垂直・水平な穴あけが容易ではなかった。【解決手段】電動ドリルのティール、ヘッド部分、及び両サイドに水平器シール、又は、電動ドリル本体ヘッド部分にサイコロ状の小型水平器を設置するか、又は最初から電動ドリルにこれらの水平器を内蔵させる。【選択図】図１
2006281429.tif 000002
【特許請求の範囲】
【請求項１】
本体に、水平器を設けたことを特徴とする電動ドリル。
【請求項２】
前記水平器を従来の電動ドリルでも使用できるようにするため、電動ドリル本体に張り付けできる、水平器シールである。
【発明の詳細な説明】
【技術分野】
【０００１】  この発明は、本体に、水平器を設けたことを特徴とする電動ドリルに関する。
【背景技術】
【０００２】  従来の電動ドリルでは図３に示すような補助具を用いない限り、まず垂直の穴開け作業は不可能である。
【発明の開示】
【発明が解決しようとする課題】
【０００３】  しかしながら、以上の技術によれば、補助具の取り付けに手間がかかると同時に、狭い作業場所では設置しても補助具が邪魔になり、使えない場合があり、なおかつ補助具が重いため、水平の穴開け作業はできなかった。
そこで、この発明は、補助具の装着なしに、狭い場所での電動ドリルによる垂直・水平穴開け作業を容易に行えることを提供することを課題とする。
【課題を解決するための手段】
【０００４】  以上の課題を解決するために、第一発明は、電動ドリル本体に水平器を設けたことを特徴とする電動ドリルである。
また、第二発明は、従来の電動ドリルでも水平器を使えることを容易にすることを特徴とする水平器シールである。
【発明の効果】
【０００５】  第一発明、または第二発明によれば、電動ドリルに水平器を設けることにより、垂直・水平な穴開け作業が容易に行える。
【発明を実施するための最良の形態】
【０００６】  この発明の一実施形態を、図１に示す。
電動ドリルのティール部分に円形状の水平器、ヘッド部分、及び両サイドに通常の水平器シールを設置する。尚、水平器シールの場合は従来の電動ドリル本体に水平部分がない場合、それを補正するために発泡スチロール等を電動ドリルとの接着面となる部分に１ｃｍ程度挿んで、カッターナイフ等で水平の調整をして両面テープで張り付ける必要がある。【０００７】「実施形態の効果」
この実施形態によれば、電動ドリルによる穴あけの際、水平器を確認することにより、垂直・水平の穴開け作業が容易に行える。尚、本発明による水平器シールは左官ごての取って部分に張りつけ、左官作業での水平勾配確認等その他にも応用が期待できる。【０００８】「他の実施形態」
図１の実施形態では、水平器を電動ドリルに計４カ所に分散して張り付けていたが、図２のように、小型のサイコロ状の４面水平器を１個ドリルのヘッド部分に設けるやり方でも良い、尚この場合も、ドリルのティール部分の水平器は円形状とし、ヘッド部分、及び両サイド部分は通常の水平器とする。
【図面の簡単な説明】
【０００９】
2006281429.tif 000003
【図３】従来技術を示す斜視図である。
【符号の説明】
【００１０】  １  電動ドリル本体          ２  水平器
【図１】
2006281429.tif 000004
【図２】
2006281429.tif 000005
【図３】
2006281429.tif 000006
(57)【要約】【課題】  デザイン性の向上を図ることができるインテグレートマフラーを提供する。【解決手段】  リアバンパー１１のマフラー挿通穴２１にフィニッシャ２２を嵌着する。フィニッシャ２２を筒状部３１とフランジ部３２で構成し、フランジ部３２の後面４１と筒状部３１の内側面４２にホーロー処理を施してコーティングする。ホーロー処理でのガラス焼き付け時において、リアバンパ１１の色に応じた任意の色を後面４１及び内側面４２に焼き付けて着色層を形成する。【選択図】        図１
2006281804.tif 000002
【特許請求の範囲】
【請求項１】
マフラーがバンパーに設けられたマフラー挿通穴を挿通するとともに、該マフラー挿通穴にフィニッシャが設けられたインテグレートマフラーにおいて、
前記フィニッシャの少なくとも外側に面する表面部を、ガラスを焼き付けるホーロー処理を施してコーティングしたことを特徴とするインテグレートマフラー。
【請求項２】
前記コーティングを着色された着色層で構成したことを特徴とする請求項１記載のインテグレートマフラー。
【発明の詳細な説明】
【技術分野】
【０００１】
本発明は、マフラーの先端部がバンパーに設けられたマフラー挿通穴を挿通するように配置されたインテグレートマフラーに関する。
【背景技術】
【０００２】
近年、マフラーとリアバンパーとが一体的に設けられたインテグレートマフラーが知られている。
【０００３】
前記リアバンパーには、マフラー挿通用の開口部が開設されており、この開口部には、マフラーの先端部が挿入されている。前記開口部の開口縁部には、フィニッシャが設けられており、マフラーから受ける熱の影響を防止できるように構成されている。
【発明の開示】
【発明が解決しようとする課題】
【０００４】
しかしながら、このようなインテグレートマフラーにあっては、走行時に高温となるマフラー外周部のフィニッシャが、ステンレス等の金属によって構成される一方、リアバンパは、樹脂等によって構成されている。
【０００５】
このため、車両に合わせてデザインされたリアバンパの開口部部分は、前記フィニッシャによって常に金属色となり、デザイン性向上の阻害要因となっていた。
【０００６】
本発明は、このような従来の課題に鑑みてなされたものであり、デザイン性の向上を図ることができるインテグレートマフラーを提供することを目的とするものである。
【課題を解決するための手段】
【０００７】
前記課題を解決するために本発明の請求項１のインテグレートマフラーにあっては、マフラーがバンパーに設けられたマフラー挿通穴を挿通するとともに、該マフラー挿通穴にフィニッシャが設けられたインテグレートマフラーにおいて、前記フィニッシャの少なくとも外側に面する表面部を、ガラスを焼き付けるホーロー処理を施してコーティングした。
【０００８】
すなわち、フィニッシャの表面部には、ホーロー処理が施されており、着色が自在なガラス質でコーティングされている。このため、コーティング部分への着色が可能となる。
【０００９】
そして、このコーティングは、耐熱性に優れるとともに、付着した汚れを容易に落とすことができる。
【００１０】
また、請求項２のインテグレートマフラーにおいては、前記コーティングを着色された着色層で構成した。
【００１１】
すなわち、ガラス焼き付け時に着色することで、フィニッシャの表面部のコーティングを、着色層で構成することができる。
【発明の効果】
【００１２】
以上説明したように本発明の請求項１のインテグレートマフラーにあっては、フィニッシャの表面部に形成されたコーティング部分への着色が可能となるため、バンパーの色に合わせた色調に着色することができる。
【００１３】
これにより、バンパの開口部部分に設けられたフィニッシャが金属色に限られてしまう従来と比較して、デザイン性向の上を図ることができる。
【００１４】
そして、このコーティングは、ホーロー処理で形成されるため、耐熱性に優れるとともに、付着した汚れを容易に落とすことができる。
【００１５】
また、請求項２のインテグレートマフラーにおいては、ガラス焼き付け時に着色することで、フィニッシャ表面部のコーティングを、着色層で構成することができる。
【発明を実施するための最良の形態】
【００１６】
以下、本発明の一実施の形態を図に従って説明する。図１は、本実施の形態にかかるインテグレートマフラー１を備えた車両２を示す図である。
【００１７】
すなわち、この車両２の後端部には、リアバンパ１１が設けられており、該リアバンパ１１は、ＰＰ等の合成樹脂によって形成されている。これにより、当該リアバンパ１１の軽量化が図れるとともに、樹脂への着色の自由度からデザイン性の向上が図られている。
【００１８】
このリアバンパー１１の両端部には、横長形状のマフラー挿通穴２１，２１が開設されており、該マフラー挿通穴２１には、図１の（ｂ）に示すように、フィニッシャ２２が嵌着されている。
【００１９】
該フィニッシャ２２は、ステンレスによって形成されており、前記マフラー挿通穴２１に挿入される矩形状の筒状部３１と、該筒状部３１の端部より側方へ延出したフランジ部３２とによって構成されている。そして、前記筒状部３１には、マフラー３３の先端部が挿入されており、当該マフラー３３は、前記マフラー挿通穴２１に挿入された先端部が前記筒状部３１で包囲されている。
【００２０】
取り付け状態において、車両後方ＲＲに表出した前記フランジ部３２の後面４１と、前記筒状部３１の内側面４２とには、ガラスを焼き付けるホーロー処理が施されており、前記フィニッシャ２２の少なくとも外側に面する表面部は、コーティングされている。
【００２１】
前記ホーロー処理では、前記後面４１及び前記内側面４２にガラスの釉薬を塗布して高温で焼き付ける焼き付け工程からなり、焼き付け時において、前記リアバンパ１１の色に応じて、同色や異なる色など任意の色に着色されている。
【００２２】
これにより、前記後面４１及び前記内側面４２には、着色された着色層が形成されている。
【００２３】
以上の構成にかかる本実施の形態において、リアバンパ１１のマフラー挿通穴２１に嵌着されたフィニッシャ２２の後面４１及び内側面４２は、ホーロー処理が施されており、着色が自在なガラス質でコーティングされている。このため、このコーティング部分への着色が可能となり、バンパーの色に合わせた色調に着色することができる。
【００２４】
そして、前記ホーロー処理において、ガラス焼き付け時に着色することで、フィニッシャ表面部のコーティングを着色層で構成することができる。
【００２５】
このため、リアバンパ１１のマフラー挿通穴２１，２１に設けられたフィニッシャが金属色に限られてしまう従来と比較して、デザイン性向の上を図ることができる。
【００２６】
また、このコーティングは、ホーロー処理で形成されるため、耐熱性に優れるとともに、排気ガスの付着による汚れ等を容易に落とすことができる。
【図面の簡単な説明】
【００２７】
【図１】（ａ）は本発明の一実施の形態を示す斜視図であり、（ｂ）は（ａ）のＡ部の拡大図である。
【符号の説明】
【００２８】
１    インテグレートマフラー
１１    リアバンパー
２１    マフラー挿通穴
２２    フィニッシャ
３３    マフラー
【図１】
2006281804.tif 000003
(57)【要約】      （修正有）【課題】  緊急自動車の緊急運行時の一般車への接近を回転灯の目視困難な状況、サイレンの聴覚認識困難な状況であっても車内で緊急自動車の接近方向表示により認識する。【解決手段】緊急自動車が緊急運行時サイレンを鳴らすと同時に指向性の強い特定の電波を進行方向に発射させることにより、一般通行車内に設けたその電波のみを受信する前後左右のアンテナで最初に受信したアンテナに連動し点滅するＬＥＤにより緊急自動車の接近方向を表示する。  【選択図】図２
2006309646.tif 000002
【特許請求の範囲】
【請求項１】
緊急自動車が緊急運行時サイレンを鳴らすと同時に指向性の強い特定の電波を進行方向に発射させることにより、一般通行車内に設けたその電波のみを受信する前後左右のアンテナで最初に受信したアンテナに連動し点滅するＬＥＤにより緊急自動車の接近方向を表示するシステム。
【発明の詳細な説明】
【技術分野】
【０００１】
本発明は緊急自動車が接近する方向をＬＥＤを点滅させることで表示し運転者に注意を喚起させるものである。
【背景技術】
【０００２】
緊急自動車が緊急目的で運行中一般自動車はその走行をさまたげてはならず、交差点を避けて徐行もしくは一時停止しなければならない。
【０００３】
緊急自動車は緊急運行時、緊急運行している旨を知らしめ注意を喚起するため視覚に訴えるパトライトを点灯させ,同時に聴覚に訴えるサイレンをならさなければならない。  
【０００４】
近年の急激な車両の増加に伴い緊急自動車の事故が多発しているが緊急車両の確認の遅れに起因するところが大である。
【０００５】
緊急自動車の接近及び、接近方向を必要充分な距離で認識できたなら余裕をもった回避行動を取れるが一般車内で緊急自動車の接近を検知できる簡便な装置が現存しない。
【発明の開示】
【発明が解決しようとする課題】
【０００６】
緊急自動車の接近を回転灯での検知は昼間、繁華街では直近まで認識しにくくサイレン音の確認によるところが大きいが近年の車は防音気密性が向上し,又車内でラジオ、音楽等を聞いている場合は著しく遅れ、とっさの回避行動を余儀なくされることが多くなる。
【０００７】
緊急自動車の接近を視覚認識できる場合は方向も同時に確認できるが、聴覚による認識の場合方向確認までは困難である。
【０００８】
緊急自動車緊急運行時の事故原因の大半が一般車両運転者の緊急自動車接近認識の遅れによるものである。
【課題を解決するための手段】
【０００９】
本発明は上述の点に鑑みてなされたもので、緊急自動車が緊急運行時サイレンを鳴らすと同時に指向性の強い特定の電波を進行方向に発射させることにより、一般通行車内に設けたその電波のみを受信する前後左右のアンテナで最初に受信したアンテナに連動し点滅するルームミラーの隅に貼り付けられたＬＥＤにより緊急自動車の接近方向を表示する。
【発明の効果】
【００１０】
緊急自動車の接近方向を４００から５００ｍ手前からＬＥＤの点滅で視覚に訴えることにより、サイレン音を確認しにくい環境であっても認知できる。
【００１１】
余裕を持った回避行動は、とっさの回避行動に比し事故発生率の大幅な低減につながる。
【発明を実施するための最良の形態】
【００１２】
緊急自動車が緊急運行時サイレンを鳴らすと同時に指向性の強い同一の電波を進行方向に発射することにより、一般通行車内に設けたその電波のみを受信する前後左右のアンテナで最初に受信したアンテナに連動しＬＥＤを発光させる。
【実施例】
【００１３】
図1は本発明を１１．ルームミラーに貼り付けた実施例の説明図である。
【００１４】
本発明である緊急自動車接近及び接近方向検知装置は６．透明表示部に７．８．９．１０．のＬＥＤを配し１．２．３．４．の各アンテナで緊急自動車から発射される電波を受信し、最初に受信したアンテナにより方向を検出する。
【００１５】
電波を検出すると５．コントロール基盤及び電波検知起電部により最初に受信したアンテナと連動するＬＥＤを指定し、電波起電部で誘電され、ＬＥＤを点滅させる。
【００１６】
本発明は小型軽量であるためルームミラーの隅に貼り付けるだけで簡単に取り付けることができる。
【００１７】
本発明はＬＥＤを点滅させる為に必要な電気エネルギーは電波受信時に誘電させることにより電池の取り替え、取付時の煩雑な配線作業が不要である。
【００１８】
基盤化することで大量生産が可能である。
【産業上の利用可能性】
【００１９】
緊急自動車緊急時運転時の事故の低減、防止の対策として高効率の費用対効果が達成できる。
【図面の簡単な説明】
【００２０】
【図１】本発明の実施例を示した平面図である。
【図２】本発明の実施例を示した正面図である。
【図３】本発明の実施例を示した右側面図である。
【符号の説明】
【００２１】
１．   前方向接近検知アンテナ
２．  左方向接近検知アンテナ
３．  右方向接近検知アンテナ
４．  後方向接近検知アンテナ
５．  コントロール基盤及び電波検知起電部
６．   透明表示部
７．  右方向接近表示赤色ＬＥＤ
８．  後方向接近表示赤色ＬＥＤ
９．   前方向接近表示赤色ＬＥＤ
１０．  左方向接近表示赤色ＬＥＤ
１１． ルームミラー
【図１】
2006309646.tif 000003
【図２】
2006309646.tif 000004
【図３】
2006309646.tif 000005
(57)【要約】      （修正有）【課題】インターネットオークションを使って特許権の売買を可能とする売買方法を提供する。【解決手段】インターネットオークションは年中無休なので自分の特許権をインターネットオークションにかけることにより正当な値段で世界中の買い手に売ることが出来ると同時に買い手もよりよい特許権を買う事が出来る。こうすれば世界中の誰でも特許権の売買のチャンスを得ることが出来ると同時に日本の特許権の成長や発展にもつながる。この特許により世界中の特許権を持つ人間が幸せになれる。【選択図】なし【特許請求の範囲】
【発明の詳細な説明】
【技術分野】
【０００１】本発明はインターネットオークションを使って特許権の売買を可能とする売買方法に関する【０００２】今までは特許権の契約を結ぼうとすれば特許権を持っている人間は自分の足で一件一件自分の特許を買ってくれる相手を探さなければならなかった。【０００３】しかし現実的に考えれば普段、仕事をしている人は、一件一件自分の特許を買ってくれる買い手を探すのはほぼ不可能である【０００４】なぜなら買い手となる企業が開いている時は自分も仕事をし、自分か仕事の休みの時は買い手の企業も休みだからである【０００５】ということは普段、仕事している人間はたとえ特許権をとっても無意味になってしまう。【０００６】二つ目は自分の特許が買い手によって低い値段で買われてしまうことがある【０００７】これらは、今まで日本においての特許権をもつ人間のいままでかかえて来た最大の問題であった。【０００８】インターネット上で特許権の売買をすることにより一件一件買い手買い手を探さなくても３６５日２４時間仕事などの合間に自分の特許権をインターネットオークションにかけることによって世界中の相手により高くより良い条件で自分の特許権を売ることが出来ると同時に買い手の方も良い特許を世界中から買うことが出来る。【０００９】これにより日本の特許権がかかえていた問題をかいけつすると同時に日本の頭脳流出を出来る限り食い止めるとともに日本の特許権の成長につながる。【００１０】この特許権は特許権の売買を目的としたインターネットオークションサイトである。
【手続補正書】
【提出日】平成17年7月19日(2005.7.19)
【手続補正２】
【補正対象書類名】特許請求の範囲
【補正対象項目名】全文
【補正方法】変更
【補正の内容】
【特許請求の範囲】
【請求項１】
インターネットオークションによる特許権の売買
(57)【要約】【課題】  キーワードから、容易に暗証番号を導きだす暗証番号手引き具を提供する。【解決手段】  台紙に暗証番号を導くキーワード覧、及び番号枠を設け、各番号枠にはアルファベット、及びひらがな文字を分割配置する。キーワードから導きだされた答えを番号枠の文字から探しだし暗証番号が引出される。またキーワード覧の一部が剥離できる構造により第三者の解読が困難となる。以上を特徴とする暗証番号手引き具。【選択図】  図１
2006309682.tif 000002
【特許請求の範囲】
【請求項１】
台紙に暗証番号を導く手がかりとなるキーワード覧、キーワードから暗証番号を導きだす番号枠を設け、各番号枠にはアルファベット、及びひらがな文字を分割配置し、またキーワード覧の一部が剥離できる構造により、第三者の解読が困難となることを特徴とする暗証番号手引き具。
【発明の詳細な説明】
【技術分野】
【０００１】  本発明は、銀行口座等の暗証番号を忘れた場合、暗証番号を導き出すための暗証番号手引き具に関するものである。
【背景技術】
【０００２】  従来、暗証番号として覚え易い生年月日・電話番号等、個人に関わりのある番号を選択する場合が多い。
【発明の開示】
【発明が解決しようとする課題】
【０００３】  そのために、次のような問題点があった。
カード盗難があった場合、第三者に容易に暗証番号を調べられ、不正使用され場合がある。また、安全性を考慮して暗証番号を頻繁に変更した場合や複数のカードを所持している場合に暗証番号を忘れてしまうことがある。
本発明は、以上の問題点を解決しようとするものである。
【課題を解決するための手段】
【０００４】  暗証番号の選択方法として、台紙に暗証番号を導く手がかりとなるキーワード覧を設ける。また、キーワードから暗証番号を導きだす番号枠を設ける。各番号枠にはアルファベット、及びひらがな文字を分割配置する。キーワードから導かれた答えワードを番号枠の文字から探しだし暗証番号として選択する。またキーワード覧の一部が剥離できる構造により、第三者の解読が困難となる。以上を特徴とする暗証番号手引き具である。
【発明の効果】
【０００５】  本発明は、個人が知り得るキーワードを暗証番号とするため、以上の利点がある。
（イ）銀行カードと同一箇所に携帯していて、万が一の盗難に遭遇してもキーワード化した暗証番号を第三者が解読する事が困難である。
（ロ）銀行カードと同一個所に携帯することで、暗証番号を忘れた場合、容易に導くことができる。
（ハ）カード詐欺犯罪の多発する現在、将来的に暗証番号の桁数変更にも容易に対応できる。以上を特徴とする暗証番号手引具である。
【発明を実施するための最良の形態】
【０００６】以下、本発明の実施の形態について説明する。
（イ）台紙（１）にアルファベット、及びひらがなの文字を分割配列した番号枠（２）、及びキーワード枠（３）を設ける。
（ロ）キーワード枠（３）にはキーワード記入後一部を剥がせるように剥離シート（５）を設ける。
（ハ）キーワード枠（３）に記入後、剥がしやすくするため、下テープ（４）を予め設ける。
本発明は、以上の構成になっている。
本発明を使用するときは、キーワード枠（１）にキーワードを記入する。記入後剥離シート（４）別途保管しておく。剥離シートを取り除いたキーワード覧は、本人が書いた部分的輪郭から用意に思い出すことができる。長期に渡り使用せずに忘れた場合は、保管する剥離シートと照らし合わせ確認する。
【使用例】
キーワード：趣味はなんですか、答え：はつめい
番号枠（２）より、は：は行で▲６▼、つ：た行で▲４▼、め：ま行で▲７▼、い：あ行で▲１▼、以上により暗証番号を６４７１と導かれる。
【図面の簡単な説明】
【０００７】
【図１】本発明の斜視図
【図２】キーワード枠分解斜視図
【図３】キーワード枠使用状態斜視図
【図４】キーワード枠使用状態斜視図
【図５】剥離シート斜視図
【符号の説明】
【０００８】  １    台紙
２    番号枠
３    キーワード枠
４    剥離シート
５    下テープ
【図１】
2006309682.tif 000003
【図２】
2006309682.tif 000004
【図３】
2006309682.tif 000005
【図４】
2006309682.tif 000006
【図５】
2006309682.tif 000007
(57)【要約】      （修正有）【課題】パソコンのマウス操作による、ローンの毎月返済額、総返済額の動計算及びその結果に連動するグラフ作成プログラムシステムを提供する。【解決手段】ローンシミュレーション１のローン条件の項目毎にスクロールバー２を設置し、マウス操作によりローン条件表３のデータ変更をできるようにする。スクロールバー２をパソコンのマウスで動かすことで、ローン条件表３のローン条件（借入額、金利、返済期間）が変更され、ローンシミュレーションする。そのシミュレーション結果を反映させたグラフ４が作成される。【選択図】図１
2006309683.tif 000002
【特許請求の範囲】
【請求項１】
パソコンのマウス操作による、ローンの毎月返済額、総返済額の動計算及びその結果に連動するグラフ作成プログラムシステム。
【発明の詳細な説明】
【技術分野】
【０００１】  この発明は、パソコンのマウス操作によるローン返済シミュレーションに関するプログラムシステム
【背景技術】
【０００２】  従来のローンシミュレーションは入力欄にローン条件（借入額、金利、返済期間）をキーボードから入力することで行われている。
【発明の開示】
【発明が解決しようとする課題】
【０００３】  以上の技術の場合、金利固定型であれば、金利を一度入力すれば課題がない。しかしながら、金利変動型のローンシミュレーションを行う場合に、金利変更の都度、キーボードから数字を入力しなければならず、常に金利が変動するケースをシミュレーションする利用者への利便性が低かった。
【課題を解決するための手段】
【０００４】  以上の課題を解決するために、第一の発明は、パソコンのマウス操作により、ローン条件（借入額、金利、返済期間）を変更することを可能とし、ローンシミュレーションを行う。そのローンシミュレーションの結果を反映させたグラフも作成する。
【発明の効果】
【０００５】  第一発明によれば、マウス操作によりローン条件（借入額、金利、返済期間）を変更する機能を設けたので、ローンシミュレーションが行いやすい。
【発明を実施するための最良の形態】
【０００６】  この発明一実施形態を、図１に示す。ローンシミュレーション１のローン条件の項目毎にスクロールバー２を設置し、マウス操作によりローン条件（借入額、金利、返済期間）を反映させるローン条件表３とローンシミュレーション結果を反映させるグラフ４を設置。【０００７】「実施形態の効果」
この実施形態によれば、スクロールバー２をパソコンのマウスで動かすことで、ローン条件表３のローン条件（借入額、金利、返済期間）が変更される。そのシミュレーション結果を反映させたグラフ４が作成される。したがって、ローンシミュレーションが行いやすく、結果も把握しやすい。
【図面の簡単な説明】
【０００９】
【図１】この発明の一実施形態を示す正面図である。
【符号の説明】
【００１０】１  ローンシミュレーション            ２  スクロールバー
３  ローン条件表                      ４  グラフ
【図１】
2006309683.tif 000003
(57)【要約】      （修正有）【課題】電磁波が何処に居ても人間を苛むで居るので、顔などの皮膚がからからに乾燥する。洗面できれば宜しいが、お湯の出る所は少ない。蒸しタオルを顔に当てて水分を補給したくなる。髪にもそうしたいことは多い。勿論、猛暑の中では冷たい御絞りが欲しい。【解決手段】暖かい御絞りや冷たい御絞りが両方共出るか或いは片方だけが出るようにした、御絞りの自動販売機。【選択図】なし【特許請求の範囲】
【請求項１】
暖かい御絞りや冷たい御絞りが両方共或いは片方だけ出るようにした、御絞りの自動販売機。
【発明の詳細な説明】
【発明の詳細な説明】
私は、毎日覗き見電磁波の被害に会っていることは再々述べて来た。にも拘らず、斯くのごとく、発明の出願に追われて居るので、風呂にも碌に入れない。顔の皮膚は角質が嵩んで象の皮膚の如くになって仕舞った。
暖かい御絞りで以て、時折、顔を温めたい。オフイス等で、電磁波に当りづめで、顔の皮膚が乾燥してからからに乾いて困っている人は多いかろう。これはと思った時に、御絞りが直ぐ使えると大変嬉しいに違いない。
そこで、オフイス等に「御絞り自動販売機」を設置することを思いついた。と言って、特別に変った物では無い。缶コーヒー等の自動販売機の個々の格納室を御絞りが入るように少し大きくすれば宜しい訳である。暑い街頭などでは冷たい物が欲しい場合もあるので、そう言う要望の有る所には、冷たい御絞りも出るようにした物を設置したい。
缶コーヒーその他の自動販売機用の飲料が相変わらず気味が悪く美味しく無いので、現在、余り売れなくなり、自動販売機は設置契約を解除されるケースが多いらしく、中古が山積みされているケースも多い。
これらを改造して、要望先に提供すると友に、新規にも増産に入りたいと思っている。行き詰まって仕舞っている自動販売機メーカーには、又と無いチャンスを迎えることになろう。世界に市場を開拓して、日本の新輸出製品たらしめたい。
(57)【要約】【課題】従来は導入コストが安く、運用が簡単で、利用者本人が不在時に不正使用を知ることが出来る認証システムが存在しなかった。【解決手段】情報端末の利用開始時の認証時に使用しようとする情報端末又は情報端末に直接又はＬＡＮ接続された認証機器で認証するのではなく、携帯情報端末に利用開始を知らせるメールを送信し、携帯情報端末所持者は受信したメールでパスワードを返信します。認証を行おうとしている情報端末はメールを受信し、メールアドレスとパスワードが一致していれば認証を許可し情報端末の使用を許可する。また、情報端末の認証ログをメールの送受信記録から蓄積し把握可能とします。【選択図】  図１
2006309676.tif 000002
【特許請求の範囲】
【請求項１】
情報端末の利用開始時の認証システムにおいて、情報端末の利用開始時に携帯情報端末に情報端末の利用開始を知らせるメールを送信し、携帯情報端末からパスワードを入力したメールを返信することにより認証を行うことを特徴とするセキュリティシステム。
【請求項２】
請求項１のシステムに生体認証を組合せ、二重の認証を行うことを特徴とするセキュリティシステム。
【請求項３】
情報端末の利用開始時の認証システムにおいて、情報端末の利用開始時に携帯情報端末に情報端末の利用開始を知らせるメールを送信し、携帯情報端末からインターネットに接続し、パスワードを入力することにより認証を行うことを特徴とするセキュリティシステム。
【請求項４】
請求項３のシステムに生体認証を組合せ、二重の認証を行うことを特徴とするセキュリティシステム。
【発明の詳細な説明】
【技術分野】
【０００１】本発明は、情報端末及び携帯情報端末から構成される認証セキュリティシステムに関する。
【背景技術】
【０００２】従来の技術を利用した認証システムには生体認証等がある。
しかしながら、この方法では導入コストが高くなる場合があり、運用面でも登録に手間がかかる、本人なのに認証でエラーになる、方式により抵抗感を感じる人がいる等の問題がある。
また、利用者本人が不在の場合になんらかの手段でなりすましで使用されても分らないという問題がある。
【発明の開示】
【発明が解決しようとする課題】
【０００３】従来は導入コストが安く、運用が簡単で、利用者本人が不在時に不正使用を知ることが出来る認証システムが存在しなかった。【０００４】本発明は、このような点に鑑みて考案されたものであり、その目的は、導入コストが安く、ランニングクストが安く、運用が簡単で、不正使用を把握することである。
【課題を解決するための手段】
【０００５】情報端末の利用開始時の認証時に使用しようとする情報端末又は情報端末に直接又はＬＡＮ接続された認証機器で認証するのではなく、携帯情報端末に利用開始を知らせるメールを送信します。【０００６】携帯情報端末所持者は受信したメールでパスワードを返信します。
携帯情報端末所持者は自分自身が情報端末を使用しようとしていない場合は不正使用をしている不審者がいることが把握できます。【０００７】認証を行おうとしている情報端末はメールを受信し、メールアドレスとパスワードが一致していれば認証を許可し情報端末の使用を許可する。【０００８】情報端末の認証ログをメールの送受信記録から蓄積し把握可能とします。
【発明の効果】
【００１１】認証システム導入コストが安くなります。【００１２】使用者本人不在時に不正利用を行おうとしていることが把握できます。【００１３】認証の運用が簡単です。【００１４】認証ログがメールの送受信記録から作成可能です。
【発明を実施するための最良の形態】
【００１５】以下、本発明の実施方法を図面に基づき詳細に説明する。【００１６】情報端末で端末のログイン画面でログインボタンをクリックします。【００１７】情報端末に組み込まれたセキュリティ認証ソフトウエアが情報端末に登録されている利用者の携帯情報端末にメールを送信します。【００１８】利用者の携帯情報端末にメールが届きます。【００１９】利用者の携帯情報端末のメールにパスワードを入力しメールを返信します。【００２０】情報端末は利用者からのメール返信を監視し、利用者のメールアドレスから正しいパスワードが返信されてくるかをチェックします。【００２１】利用者のメールアドレスから正しいパスワードが返信されていれば情報端末で認証ＯＫとします。
【実施例】
【００２２】パソコンのログイン時の認証に使用すればパソコン自体の不正ログインが防止できます。【００２３】パソコンでログイン後にアプリケーションソフトを利用開始する時の認証に使用すればアプリケーションの不正利用を防止できます。
【産業上の利用可能性】
【００２４】個人情報漏洩が社会的問題となっているおり企業のパソコンでの認証システムに利用の可能性がある。
【図面の簡単な説明】
【図１】本システムの全体図である。１００は情報端末、２００は携帯情報端末、３００はメインターネット、４００はメールサーバである。
【図２】本システムの実施例であり、図１に５００の生体認証装置を追加したシステムである。
【図３】本システムの実施例である。１００は情報端末、２００は携帯情報端末、３００はインターネットである。
【図４】本システムの実施例であり、図３に４００の生体認証装置を追加したシステムである。
【図１】
2006309676.tif 000003
【図２】
2006309676.tif 000004
【図３】
2006309676.tif 000005
【図４】
2006309676.tif 000006
(57)【要約】【課題】  不動産を含む資産の所有者の利益の長期的安定化と最大化を図るとこと。消費者には資産の購入を容易にし銀行等金融機関には資金の回収を容易にすることにより、不動産等資産の流動性を高めること。【解決手段】  複数の不動産を一括管理し、予め算出された一定の比率により各所有者には自身が所有する不動産が稼動していない時にも安定的に利益が分配される。又、複数の不動産の一括管理と、安定的な利益の分配が行われることにより、通信コストの削減や、サービスの向上、金融機関の利用条件等のスケールメリットを利用して、利益の最大化と資産の流動性を高める。【特許請求の範囲】
【請求項１】
マンション、ビル、駐車場等、所有者が複数いる不動産に於いて、一部を所有者が使用する部分と、残りを賃貸、又は、事業等に供する部分にわけて運用する仕組み。又、その仕組みを備えた不動産。
【請求項２】
請求項１の場合賃貸、又は、事業等で得られる利益を、所有者個々の所有権の持分比率、又は、予め定めた比率において分配する仕組み。又、その仕組みを備えた不動産。
【請求項３】
所有者が其々存在し、点在している事業用不動産を一括して管理、運用し、個々の条件や過去の運用状況等の情報を基に、一定の数値を求め、その数値を基に長期的、安定的に所有者に利益を分配する仕組み。又、その仕組みを備えた不動産。
【請求項４】
資金を借り入れる際に、金融商品の条件に対応して所有権、共有持分、その所有権の内の所有者使用部分と事業用部分の比率等を調節する仕組み。又その仕組みを備えた不動産。
【請求項５】
不動産やその他資産の運用により得られた利益により、所有者が所有する資産の管理、保険の管理、不動産の修繕計画、建替え計画、又は、所有者、不動産の入居者、利用者に対し、入居者、利用者に関してはその賃料の一部、又は、別途請求する費用により、資産、保険の管理に加え、光熱費等の送金業務、食事、医療、介護等の生活支援等をするサービス。又、そのサービスを備えた不動産を含む資産。
【請求項６】
請求項１，２，３，４，５の一部、又は、全部を含む不動産を購入する際利用する金融商品で、請求項１，２，３，４，５の仕組み、又は、サービスの付加価値を考慮して作成する金融商品。
【発明の詳細な説明】
【技術分野】
【０００１】  本発明は不動産所有者の利益の長期的安定化と最大化、不動産の流動性の向上に関する。
【背景技術】
【０００２】  一部が事業用、一部が居住する部分を含む不動産の所有権を単有、又は共有している不動産がある。事業用部分と居住用部分で個々に所有権がある不動産がある。事業用（居住用賃貸物件も含む）の賃料等の管理、募集業務等のサービス、又は、一括借り上げをして、所有者の利益の安定化を図るサービスがある。事業用不動産購入用の金融商品、住宅購入用の金融商品がある。
【発明の開示】
【発明が解決しようとする課題】
【０００３】  従来の事業用不動産は、稼働しているときは賃料等の利益が出るが、稼働していない時は利益が出ないためその運用は非常に不安定であった、又、事業用の不動産は、購入資金に対する貸出金割合や、購入者の所得等の諸条件、一般の消費者には、購入が難しかった。
【課題を解決するための手段】
【００４】  マンション、ビル、駐車場等一体の物件で複数の所有者いる不動産に於いて、一部を区分して所有者が個々に所有し使用する部分（以下甲）として、残りの部分（以下乙）を共有、又は、区分して所有するが所有者は甲部分の所有者である。その際、乙部分は区分所有の場合は個別に使用することも出来る。しかし、共有の場合、又、区分所有の場合でも、各所有者が同意している場合は一括して運用し、甲又は、乙部分の各所有者の所有する面積割合、又は、別に決められた一定の比率により乙部分より得られる利益を各所有者に分配する。又、甲部分が各所有者が居住用として利用する場合、甲部分と乙部分の面積割合を調整する事により、購入資金の借り入れの難しい事業用不動産でなく、一体として住宅ローンの対象の不動産にすることができる。又、点在していて、所有者が其々存在する不動産に於いては、一括して運用し、個々の不動産の条件や過去の稼働率等の運用状況から一定の数値を割り出し、その数値を基に、実際その所有者の不動産が稼動していないときにも、他の所有者の不動産が稼動していれば利益を分配する事により、安定的な利益を得ることが出来る。その安定性から、他の事業用不動産よりも良い条件で購入資金の借り入れが出来るようになる。
【発明の効果】
【００５】  上述の様に、不動産所有者に安定的な利益をもたらすとともに、事業用不動産を一般消費者も住宅ローン等を利用することにより購入しやすくなる。
【発明を実施するための最良の形態】
【００６】以下、本発明の実施の形態を図１〜図５に基ついて説明する。【００７】  図１は、主に請求項１の説明、所有者がＡ，Ｂ，Ｃ，Ｄ，と複数いる一体の不動産。一部（以下甲）を所有者が区分所有し、残りの部分（以下乙）を甲部分と同一の所有者の全部、又は一部が、区分所有するか、共有して所有する。【００８】  図２のは、主に請求項２の説明、甲部分は区分所有者Ａ，Ｂ，Ｃ，Ｄ，が其々使用し、乙部分に関しては、区分所有の場合は個別に使用、又は事業用として運用することも出来るが、区分所有の場合でも所有者が同意している場合、又は、共有の場合は一括して運用する。その際、所有者の所有する床面積の割合、又は、別途定められた一定の割合で各所有者に利益を分配する。【００９】  図３は、主に請求項３の説明、本発明の一例として、点在する不動産で其々所有者Ａ，Ｂ，Ｃ，Ｄ，が存在する場合Ａ，Ｃ，Ｄ，は其々１０万円の賃料収入で稼動していて、Ｂ，は稼動はしていないが、稼動時は１０万円の賃料が見込める場合、又、Ａ，Ｂ，Ｃ，Ｄ，の其々の過去における稼働率が７５パーセントの場合
（１０×４×０．７５）÷４＝７．５  の計算式により各所有者に安定的に利益を分配することが出来る。しかし、計算式の各数値は状況の変化により変動する。【０１０】  図４は、主に請求項４の説明、複数の所有者が存在する不動産で、一部（以下ア）が居住用、残りの部分（以下イ）が事業用の場合、購入する際、資金全体に対して、住宅ローンを利用する為に、イの部分が区分所有であればその床面積、共有であればその持分を、各所有者が所有するアの部分に対して５０パーセント以下になるよう調整する。
【図面の簡単な説明】
【図１】一部が区分所有、残りの部分が同じ所有者の区分所有、又は、共有の不動産。
【図２】一体の不動産で一部が所有者が使用し残りの部分を事業用に供する不動産。
【図３】点在する事業用不動産。
【図４】一体の不動産で居住用スペースと事業用スペースの調整出来る不動産。
【図１】
2006309680.tif 000002
【図２】
2006309680.tif 000003
【図３】
2006309680.tif 000004
【図４】
2006309680.tif 000005
(57)【要約】      （修正有）【課題】表札のメンテナンスや文字の追加加工、交換などを容易に行えるスペーサーシステムを提供する。【解決手段】名前表示部分１を表札本体から脱着できるように裏面にスペーサー３を固定。スペーサーも表示部分から取外せるようスペーサーの形状を工夫した。【選択図】図１
2006309100.tif 000002
【特許請求の範囲】
【請求項１】
表札の表示部分（名前が入る部分）の裏面にスペーサーを取付けることにより表示部分後方に取付けられる意匠としての飾りプレートとを取付けビスで脱着可能にするシステム。
【発明の詳細な説明】
【発明の詳細な説明】
【発明に属する技術分野】
【０００１】本発明は、表札の表示部分を飾りプレートより脱着可能にするスペーサーに関するものである。
【従来の方法】
【０００２】従来の表札は、表示部分と飾りプレートを直接接着、家の外壁や塀などにも接着等で取れないように取付けているため文字の追加やメンテナンスをする場合、現地で行う。
【発明が解決しようとする課題】
【０００３】現地で再加工やメンテナンスを行うことは作業効率が低く、薬品などを使用する加工は危険であり、きれいな加工をすることがたいへん難しいものである。
【課題を解決するための手段】
【０００４】本発明は、工場などでの再加工が容易に行えるよう表札本体から表示部分を取外せるスペーサーシステムを採用することにより上記課題を解決したものである。
意匠登録第１１９３２４１（請求人同神▲崎▼明）の取付金具と併用することにより外壁や塀などから表札本体を取外し可能になる。
【発明を実施するための最良の形態】
【０００５】本発明のスペーサーシステムは、図１で示されるように表示部分１と飾りプレート２の間にスペーサー３を取付けることにより、表示部分１を飾りプレート２から脱着させることが可能になる。
取付けビス５で飾りプレート２の裏面からスペーサー３を締込み固定。
飾りプレート２には取付けビス５の位置にスペーサー３が締込めるように貫通穴が加工されている。
取付け金具４を利用することにより外壁や塀などから表札本体を取外すことが可能。【０００６】図２は従来のスペーサー３を取付けないタイプで、飾りプレート２の裏面を直接外壁や塀などに接着剤などで固定を行う。表示部分１と飾りプレート２も接着剤などで固定されている。
取付けてしまうと取外すことが非常に困難な状況になる。【０００７】図３は表札本体裏面より斜めに見た図。
図４は表示部分１を飾りプレート２から取外した図。
表示部分１とスペーサー３は接着剤などで固定されている。
取付けビス用ねじ山加工部分６は取付けビス５が締込みできるように加工されている。【０００８】図５は表示部分１を裏面より見た図である。
裏面にはスペーサー３が取り付いている。
図６のように表示部分１とスペーサー３を取除くときには、カッターなどの刃物で固定部分を切るように取除く。
この時にスペーサー３の中央部に穴を加工していることにより固定面積を小さくすることによりカッターなどの刃物が貫通しやすく容易に取除くことができる。【０００９】図７のように表示部分１の形状は表札本体としての意匠により異なるが、スペーサー３の大きさや形状を変更することにより対応可能になる。
飾りプレート２も意匠により形状が異なるが、形状変更に伴ったスペーサー３の形状変更や取付けビス５位置の変更により対応可能である。
【発明の効果】
【００１０】以上のように、請求項１記載の発明によれば、今まで取付けてしまえば一生ものと考えられていた表札が、外壁や塀などから容易に表札本体を取外せること、表示部分が飾りプレートより取外せることにより家族が増えたことによる名前の追加加工や長く使用することによる色剥がれや傷・錆などをきれいにメンテナンスを行えること、意匠として取付けられる飾りプレートの交換なども容易に行え、長くきれいな状態で表札を使用可能になる。
インテリア用品などと同じように交換・再加工して玄関先などの雰囲気をかえるなど今までにない表札の新しい市場が生まれる。
【図面の簡単な説明】
【図１】  スペーサーを取付けた表札本体の正面図・側面図
【図２】  従来のスペーサーを取付けない表札本体の正面図・側面図
【図３】  スペーサーを取付けた表札本体  裏面
【図４】  表示部分とスペーサー
【図５】  表示部分とスペーサー
【図６】  表示部分とスペーサーをカッターなどの刃物で取外しを行う図
【図７】  いろいろな形状の表示部分とスペーサー
【符号の説明】
１・・・表示部分
２・・・飾りプレート
３・・・スペーサー
４・・・取付金具（意匠登録第１１９３２４１）
５・・・取付けビス
６・・・取付けビス用ねじ山加工部分
７・・・カッターなどの刃物
【図１】
2006309100.tif 000003
【図２】
2006309100.tif 000004
【図３】
2006309100.tif 000005
【図４】
2006309100.tif 000006
【図５】
2006309100.tif 000007
【図６】
2006309100.tif 000008
【図７】
2006309100.tif 000009